Podtech/llm-jp-corpus-v4-ja_patent huggingface dataset:
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
被検眼を撮影する撮影条件が異なる複数の撮影モードのうちいずれかを選択する選択手段と、
前記選択手段により選択された撮影モードで該被検眼を撮影する撮影手段と、
前記選択手段により選択された撮影モードに応じて、該撮影モードで撮影された前記被検眼の画像データを圧縮して該画像データから階調分解能と空間分解能とのうちいずれかを優先した画像データを生成する生成手段と、
を有することを特徴とする眼科撮影システム。
【請求項２】
前記選択手段によりカラー撮影モードが選択された場合、前記生成手段が前記空間分解能よりも前記階調分解能を優先した画像データを生成することを特徴とする請求項１に記載の眼科撮影システム。
【請求項３】
前記選択手段によりカラー撮影モードが選択された場合、前記生成手段が該カラー撮影モードで撮影された前記被検眼の画像データに対して前記空間分解能を減ずる処理を行うことを特徴とする請求項１あるいは２に記載の眼科撮影システム。
【請求項４】
前記選択手段により蛍光撮影モードが選択された場合、前記生成手段が前記階調分解能よりも前記空間分解能を優先した画像データを生成することを特徴とする請求項１乃至３のいずれか１項に記載の眼科撮影システム。
【請求項５】
前記選択手段により蛍光撮影モードが選択された場合、前記生成手段が該蛍光撮影モードで撮影された前記被検眼の画像データに対して減色処理を行うことを特徴とする請求項１乃至４のいずれか１項に記載の眼科撮影システム。
【請求項６】
前記生成手段により生成された画像データを該生成手段から転送するデータ転送手段と、
前記データ転送手段から転送された画像データに対して、前記選択手段により選択された撮影モードに従った階調変換を行う画像処理手段と、
を有することを特徴とする請求項１乃至５のいずれか１項に記載の眼科撮影システム。
【請求項７】
前記画像処理手段が、前記撮影モードで撮影された前記被検眼の画像データに対して略同一の階調分解能を有する診断用電子画像を生成することを特徴とする請求項６に記載の眼科撮影システム。
【請求項８】
前記選択手段により蛍光撮影モードが選択された場合、前記画像処理手段は前記データ転送手段から転送された画像データを前記圧縮から復元し、該復元した画像データに対して該蛍光撮影モードに従った階調変換を行うことを特徴とする請求項７に記載の眼科撮影システム。
【請求項９】
前記選択手段によりカラー撮影モードが選択された場合、前記生成手段により生成された画像データは可逆圧縮又は非可逆圧縮され、
前記選択手段により蛍光撮影モードが選択された場合、前記生成手段により生成された画像データは非可逆圧縮されることを特徴とする請求項１乃至８のいずれか１項に記載の眼科撮影システム。
【請求項１０】
被検眼を撮影する撮影条件が異なる複数の撮影モードのうちいずれかの撮影モードで該被検眼を撮影する撮影手段と、
前記被検眼を撮影した撮影モードに応じて、該撮影モードで撮影された前記被検眼の画像データを圧縮して該画像データから階調分解能と空間分解能とのうちいずれかを優先した画像データを生成する生成手段と、
を有することを特徴とする眼科撮影システム。
【請求項１１】
請求項１乃至１０のいずれか１項に記載の眼科撮影システムの各機能をコンピュータに実行させることを特徴とするプログラム。
【請求項１２】
被検眼を撮影する撮影条件が異なる複数の撮影モードのうちいずれかを選択する選択手段と、
前記選択手段により選択された撮影モードで該被検眼を撮影する撮影手段と、
前記選択手段により選択された撮影モードに応じて、該撮影モードで撮影された前記被検眼の画像データを圧縮して該画像データから階調分解能と空間分解能とのうちいずれかを優先した画像データを生成する生成手段と、
を有することを特徴とする眼科撮影装置。
【請求項１３】
被検眼を撮影する撮影条件が異なる複数の撮影モードのうちいずれかの撮影モードで該被検眼を撮影する撮影手段と、
前記被検眼を撮影した撮影モードに応じて、該撮影モードで撮影された前記被検眼の画像データを圧縮して該画像データから階調分解能と空間分解能とのうちいずれかを優先した画像データを生成する生成手段と、
を有することを特徴とする眼科撮影装置。
【請求項１４】
前記被検眼をカラー撮影モードで撮影した場合、前記生成手段が前記空間分解能よりも前記階調分解能を優先した画像データを生成することを特徴とする請求項１３に記載の眼科撮影装置。
【請求項１５】
前記被検眼を蛍光撮影モードで撮影した場合、前記生成手段が前記階調分解能よりも前記空間分解能を優先した画像データを生成することを特徴とする請求項１３あるいは１４に記載の眼科撮影装置。
【請求項１６】
前記生成手段により生成された画像データを前記眼科撮影装置の外部に転送するデータ転送手段を有することを特徴とする請求項１３乃至１５のいずれか１項に記載の眼科撮影装置。
【請求項１７】
被検眼を撮影する撮影条件が異なる複数の撮影モードのうちいずれかの撮影モードで該被検眼を撮影する撮影装置であって、
前記被検眼を撮影した撮影モードに応じて、該撮影モードで撮影された前記被検眼の画像データを圧縮して該画像データから階調分解能と空間分解能とのうちいずれかを優先した画像データを生成する生成手段を有することを特徴とする撮影装置。
【手続補正書】
【提出日】平成24年2月6日(2012.2.6)
【手続補正１】
【補正対象書類名】明細書
【補正対象項目名】００２３
【補正方法】変更
【補正の内容】
【００２３】
次に、このモノフィラメントを束ねた上で紙テープで巻き直径４５ｍｍの束とし、さらにこれを切断して長さ５０ｍｍのブリッスル束とした。このブリッスル束の片端を水酸化ナトリウム水溶液中に浸漬させ、片端にテーパー部を有する毛材を作成した。得られた毛材のテーパー部の表面には、開口部の最大径が２〜３０μｍの凹部が１００平方μｍあたり０．２個形成されていた。さらに、このブリッスルを金具に植毛し、軸に接合することにより、アイライナーブラシを作製した。
【手続補正２】
【補正対象書類名】明細書
【補正対象項目名】００２８
【補正方法】変更
【補正の内容】
【００２８】
［比較例３］
実施例１において、酸化ケイ素粒子の添加量を１５重量％とした以外は、同様の方法でアイライナーブラシを作製した。得られた毛材のテーパー部の表面には、開口部の最大径が２〜３０μｍの凹部が１００平方μｍあたり１５個形成されていた。
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
キャビネットと、
前記キャビネット上に載置される洗面ボウルと、
前記キャビネット前面上方に幕板を備えた洗面化粧台であって、
前記幕板の前記キャビネット内側に収納部を有し、
前記幕板は、丁番によって、前記収納部の開口を閉じる起立状態から上方を開口するように開閉可能に設けられており、
前記幕板の下端が、前記洗面ボウル下端より上方に位置し、
前記収納部の横幅は前記キャビネットの内幅と略同一であることを特徴とする洗面化粧台。
【請求項２】
前記幕板のうち、片方の端部に開度調整用のステーを取り付けていることを特徴とする請求項１に記載の洗面化粧台。
【請求項３】
前記収納部は、前記幕板と着脱可能に係止されていることを特徴とする請求項１乃至２の何れか一つに記載の洗面化粧台。
【請求項４】
前記収納部は、防水性の素材から成ることを特徴とする請求項１乃至３の何れか一つに記載の洗面化粧台。
【請求項５】
前記収納部は前記幕板と前記丁番の上方に配置される第一の収納部と、
第一の収納部よりも深い第二の収納部とからなることを特徴とする請求項１乃至４の何れか一つに記載の洗面化粧台。
【請求項６】
前記収納部は、前記幕板と特定方向でのみ係止可能であり、
前記収納部の一方向に取っ手を設けていることを特徴とする請求項１乃至５の何れか一つに記載の洗面化粧台。
【請求項７】
前記幕板には、開閉のためにライン状の取っ手が設けられていることを特徴とする請求項１乃至６の何れか一つに記載の洗面化粧台。
【請求項８】
前記丁番は、スライド丁番とすることを特徴とする請求項１乃至７の何れか一つに記載の洗面化粧台。
【手続補正２】
【補正対象書類名】明細書
【補正対象項目名】００２５
【補正方法】変更
【補正の内容】
【００２５】
１  洗面化粧台
２  洗面ボウル部
３  キャビネット部
４  幕板
５  側板
６  ステー
７  横桟
８  丁番
９  トレイ
９ａ  トレイ
９ｂ  トレイ
１０  係止部
１１  係止受け部
１１ａ  係止受け部突部
１１ｂ  係止受け部突部
１２  ツマミ
１３  横桟
１４  マグネットキャッチ
１５  取っ手
１６  脚部
１７  逆止め防止突部
１８  ついたて
１９  プッシュラッチ
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
情報を入力する入力部材を備える少なくとも一つの追加操作モジュールと、
一端から他端に向けて延伸する形状を有する本体と、
前記本体の前記一端側に設けられ、前記本体の位置の認識に用いられる光を発する発光体と、
前記本体の前記他端側に設けられるとともに、前記追加操作モジュールが接続される接続部と、
を含むことを特徴とする操作デバイス。
【請求項２】
請求項１に記載の操作デバイスにおいて、
前記追加操作モジュールは、前記接続部に接続される被接続部と、前記入力部材の前記本体に対する向きを変更させるよう、前記被接続部と前記入力部材との間に設けられた回転機構と、を備える、
ことを特徴とする操作デバイス。
【請求項３】
請求項１に記載の操作デバイスにおいて、
前記追加操作モジュールは、複数の向きで前記本体に接続するよう構成される、
ことを特徴とする操作デバイス。
【請求項４】
請求項２又は３に記載の操作デバイスにおいて、
前記追加操作モジュールに備えられた前記入力部材の向きを判断する判断手段を含む、
ことを特徴とする操作デバイス。
【請求項５】
請求項４に記載の操作デバイスにおいて、
前記追加操作モジュールと前記本体は、それぞれ自身の姿勢を検知するセンサを含み、
前記判断手段は、前記本体に含まれる前記センサによる検知結果と、前記追加操作モジュールに含まれる前記センサによる検知結果と、に基づいて、前記追加操作モジュールに備えられた前記入力部材の、前記本体に対する向きを判断する、
ことを特徴とする操作デバイス。
【請求項６】
請求項１乃至５に記載の操作デバイスにおいて、
前記接続部には複数の追加操作モジュールが接続するよう構成され、
前記複数の追加操作モジュールのうち１つは、前記接続部に接続される被接続部と、該被接続部の反対側に設けられるとともに、前記複数の追加操作モジュールのうち他の１つが直列に接続されるよう前記本体の前記接続部と同一形状を有する追加接続部と、を備える、
ことを特徴とする操作デバイス。
【請求項７】
請求項６に記載の操作デバイスにおいて、
前記複数の追加操作モジュールのそれぞれは、該追加操作モジュールの種類を識別するための識別情報を記憶する識別情報記憶手段を含み、
前記本体は、該本体に直接的又は間接的に接続される前記追加操作モジュールに含まれる前記識別情報記憶手段から前記識別情報を取得する識別情報取得手段を含む、
ことを特徴とする操作デバイス。
【請求項８】
請求項６又は７のいずれかに記載の操作デバイスにおいて、
前記本体は、該本体に直列に接続される前記追加操作モジュールの順序を判別する順序判別手段を含む、
ことを特徴とする操作デバイス。
【請求項９】
請求項８に記載の操作デバイスにおいて、
前記複数の追加操作モジュールのそれぞれは、該追加操作モジュールが前記本体に対して直列に接続される場合に互いに直列接続される信号線と、該信号線における所定位置の電圧を計測する電圧計と、を備え、
前記本体は、前記直列に接続される信号線に対して一端側から所定電圧を印加する電源と、を備え、
前記順序判別手段は、前記各電圧計において計測される電圧に基づいて、前記本体に直列に接続される前記追加操作モジュールの順序を判別する、
ことを特徴とする操作デバイス。
【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
被験者の心臓に挿入するための、１つ以上の電極を上部に有するプローブと、
前記電極に連結される位置感知回路と、
電気ペーシング信号を生成して、前記心臓を電気的に作動させるためのペーシング発生器と、
前記ペーシング発生器と前記電極と前記位置感知回路との間で連結され、かつ既定の範囲内である電圧での比較的高い第１のインピーダンス、及び前記電圧が前記既定の範囲外である際、前記第１のインピーダンスに対して低い第２のインピーダンスによって特徴付けられる、連結要素と、を備える、医療装置。
【請求項２】
前記連結要素が、並列に接続される反対の極性の一対のダイオードを備える、請求項１に記載の装置。
【請求項３】
前記連結要素が、並列に接続される２つのバイポーラ接合トランジスタを備える、請求項１に記載の装置。
【請求項４】
前記ペーシング発生器が、第１及び第２の出力リードを有し、前記連結要素が、前記第１及び第２の出力リードにそれぞれ接続される第１及び第２のクロスダイオード対を備える、請求項１に記載の装置。
【請求項５】
前記既定の範囲が、−０．７〜＋０．７ボルトである、請求項１に記載の装置。
【請求項６】
前記電極が、複数の電極を備え、
前記ペーシング発生器の出力を前記電極のうちの選択されたものに向けるために、前記ペーシング発生器に連結されるルータを更に備え、前記位置感知回路及び前記ペーシング発生器が、前記電極のうちの前記選択されたものに同時に電気的に接続される、請求項１に記載の装置。
【請求項７】
前記電極に接続され、かつ前記連結要素を介して前記ペーシング発生器に同時に接続される心電図回路を更に備える、請求項１に記載の装置。
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
小役を含む複数種類の役の当否を決定する内部抽選を行う内部抽選手段と、
前記複数のリールを遊技毎に回転させるとともに、停止操作を契機として、前記内部抽選の結果に応じた態様で当該停止操作に対応するリールを停止させる制御を行うリール制御手段と、
前記複数のリールの全てが停止した状態で、入賞判定ライン上に表示されている図柄組合せに基づいて、役が入賞したか否かを判定し、役毎に予め定められた入賞形態を示す図柄組合せが、入賞判定ライン上に表示されたことに基づいて、役が入賞したと判定する入賞判定手段と、
前記小役が入賞したことを契機として、入賞した小役の配当に基づいて、遊技媒体の払い出しに関する制御を行う払出制御手段とを備えた遊技機であって、
前記内部抽選手段が、
複数種類の前記小役が重複して当選する場合が存在するように前記内部抽選を行い、
前記リール制御手段が、
前記複数種類の小役が重複して当選した遊技において、小役の入賞した入賞判定ラインの数が最大となるようにリールの停止位置を決定する制御と、小役の入賞に伴って払い出される遊技媒体の数が最大となるようにリールの停止位置を決定する制御とを、前記停止操作の態様に応じて切り替えることを特徴とする遊技機。
【請求項２】
外周面に複数種類の図柄が配列されている複数のリールと、
小役を含む複数種類の役の当否を決定する内部抽選を行う内部抽選手段と、
前記複数のリールを遊技毎に回転させるとともに、停止操作を契機として、前記内部抽選の結果に応じた態様で当該停止操作に対応するリールを停止させる制御を行うリール制御手段と、
前記複数のリールの全てが停止した状態で、入賞判定ライン上に表示されている図柄組合せに基づいて、役が入賞したか否かを判定し、役毎に予め定められた入賞形態を示す図柄組合せが、入賞判定ライン上に表示されたことに基づいて、役が入賞したと判定する入賞判定手段と、
前記小役が入賞したことを契機として、入賞した小役の配当に基づいて、遊技媒体の払い出しに関する制御を行う払出制御手段とを備えた遊技機であって、
前記内部抽選手段が、
複数種類の前記小役が重複して当選する場合が存在するように前記内部抽選を行い、
前記リール制御手段が、
前記複数種類の小役が重複して当選した遊技において、入賞判定ライン上に表示可能な図柄組合せの数が最大となるようにリールの停止位置を決定する制御と、小役の入賞に伴って払い出される遊技媒体の数が最大となるようにリールの停止位置を決定する制御とを、前記停止操作の態様に応じて切り替えることを特徴とする遊技機。
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
消化管内を移動する撮像機によって撮像された一連の画像の少なくとも一部の画像の画素毎または領域毎の色特徴量を算出する特徴量算出部と、
前記画素毎または領域毎の色特徴量のデータ分布をもとに、粘膜を示す色特徴量のデータおよび内容物を示す色特徴量のデータを推定するデータ群推定部と、
前記推定された色特徴量のデータをもとに粘膜と内容物との色特徴量の判別境界を設定する判別境界設定部と、
を備えたことを特徴とする画像処理装置。
【請求項２】
前記一連の画像の中から複数の画像を選択する画像選択部を備え、
前記特徴量算出部は、前記選択された複数の画像の画素毎または領域毎の色特徴量を算出することを特徴とする請求項１に記載の画像処理装置。
【請求項３】
前記設定された粘膜と内容物との色特徴量の判別境界を用いて前記一連の画像を構成する画像のうち少なくとも一部の画像の粘膜領域を判別する粘膜領域判別部を備えたことを特徴とする請求項１に記載の画像処理装置。
【請求項４】
前記データ群推定部は、前記色特徴量のデータをクラスタに分類するクラスタリング部を備え、前記クラスタの中から、データの数が最多となるクラスタを前記粘膜を示す色特徴量のデータであると推定するとともに、色特徴空間においてデータの数が最多となるクラスタとの相対位置が所定範囲に存在するクラスタを前記内容物を示す色特徴量のデータであると推定することを特徴とする請求項１に記載の画像処理装置。
【請求項５】
前記判別境界設定部は、前記データ群推定部によって推定された色特徴量のデータの色特徴空間におけるヒストグラムの双峰性を判定する双峰性判定部を備え、前記双峰性判定部による判定結果に応じて、前記粘膜と内容物との色特徴量の判別境界を設定することを特徴とする請求項１に記載の画像処理装置。
【請求項６】
前記判別境界設定部は、前記双峰性判定部によって前記ヒストグラムの双峰性が高いと判定された場合に、前記ヒストグラムの谷の位置を前記粘膜と内容物との色特徴量の判別境界として設定することを特徴とする請求項５に記載の画像処理装置。
【請求項７】
前記判別境界設定部は、前記双峰性判定部によって前記ヒストグラムの双峰性が低いと判定された場合に、前記ヒストグラムの代表値と該代表値に対する色特徴量のデータのばらつき情報とをもとに前記粘膜と内容物との色特徴量の判別境界を設定することを特徴とする請求項５に記載の画像処理装置。
【請求項８】
前記データ群推定部は、前記粘膜を示す色特徴量のデータとして、腸粘膜を示す色特徴量のデータを推定することを特徴とする請求項１に記載の画像処理装置。
【請求項９】
前記画像選択部は、前記一連の画像のうち、前記消化管内を移動する撮像機が胃を通過する平均通過時間以後に撮像された画像の中から前記複数の画像を選択することを特徴とする請求項２に記載の画像処理装置。
【請求項１０】
前記画像選択部は、前記一連の画像のうち、前記消化管内を移動する撮像機が小腸を通過する平均通過時間以前に撮像された画像の中から前記複数の画像を選択することを特徴とする請求項２に記載の画像処理装置。
【請求項１１】
前記色特徴量は、色相であることを特徴とする請求項１に記載の画像処理装置。
【請求項１２】
前記特徴量算出部は、前記一連の画像を構成する各画像を領域に分割する領域分割部を備え、前記領域分割部によって分割された領域毎の色特徴量を算出することを特徴とする請求項１に記載の画像処理装置。
【請求項１３】
コンピュータに、消化管内を移動する撮像機によって撮像された一連の画像を処理させるための画像処理プログラムであって、
前記一連の画像の少なくとも一部の画像の画素毎または領域毎の色特徴量を算出する特徴量算出ステップと、
前記画素毎または領域毎の色特徴量のデータ分布をもとに、粘膜を示す色特徴量のデータおよび内容物を示す色特徴量のデータを推定するデータ群推定ステップと、
前記推定された色特徴量のデータをもとに粘膜と内容物との色特徴量の判別境界を設定する判別境界設定ステップと、
を前記コンピュータに実行させることを特徴とする画像処理プログラム。
【請求項１４】
消化管内を移動する撮像機によって撮像された一連の画像を処理する画像処理方法であって、
前記一連の画像の少なくとも一部の画像の画素毎または領域毎の色特徴量を算出する特徴量算出工程と、
前記画素毎または領域毎の色特徴量のデータ分布をもとに、粘膜を示す色特徴量のデータおよび内容物を示す色特徴量のデータを推定するデータ群推定工程と、
前記推定された色特徴量のデータをもとに粘膜と内容物との色特徴量の判別境界を設定する判別境界設定工程と、
を含むことを特徴とする画像処理方法。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
複数種類の識別情報を変動表示する変動表示部を備え、前記変動表示部に特定表示結果が導出表示されたときに遊技者にとって有利な特定遊技状態に制御する遊技機であって、
前記識別情報の変動表示が開始されてから表示結果が導出表示されるまでに一旦非特定表示結果となる特殊表示結果を仮停止させた後に変動表示を再度実行する再変動を１回または複数回実行する再変動表示パターンを含む複数種類の変動表示パターンから１の変動表示パターンを選択する変動表示パターン選択手段と、
前記変動表示パターン選択手段により選択された変動表示パターンに基づき、前記識別情報の変動表示を開始してから表示結果を導出表示するまでの演出を制御する演出制御手段とを備え、
前記演出制御手段は、前記識別情報を停止させるときに前記特殊表示結果となる可能性を予告する予告演出を実行する手段であって、実行する予告演出の種類に応じて前記特殊表示結果となる割合が異なるように複数種類の予告演出のうちから選択して実行する予告演出実行手段を含むことを特徴とする、遊技機。
【手続補正２】
【補正対象書類名】明細書
【補正対象項目名】００１６
【補正方法】変更
【補正の内容】
【００１６】
（２）  上記（１）の遊技機において、遊技者が操作可能な操作手段（操作ボタン３０）をさらに備え、
前記変動表示部は、前記複数種類の識別情報を変動表示する変動表示領域を複数有し（左，中，右の変動表示領域）、
前記予告演出実行手段は、前記複数種類の予告演出のうち遊技者参加型予告演出（ボタン操作パターン）を選択したときには、前記操作手段への操作を所定期間受付ける演出（図３８（ｉ））を実行し、該所定期間中に前記操作が受付けられなかったときに、前記複数の変動表示領域のうちいずれかが変動表示中でかつ変動表示していない変動表示領域の識別情報が前記特殊表示結果の一部を構成しないが前記特定表示結果の一部を構成するリーチ状態にする演出（図３８（ｊ））を実行する。
【手続補正３】
【補正対象書類名】明細書
【補正対象項目名】００２２
【補正方法】変更
【補正の内容】
【００２２】
（３）  上記（１）または（２）の遊技機において、前記予告演出実行手段は、前記変動表示パターン選択手段により選択された変動表示パターンに基づき前記識別情報の変動表示を開始するときに、当該変動表示パターンにおいて仮停止する回数に応じて、表示結果を導出表示するまでに実行する予告演出を選択する（図４５のＳ６９５、Ｓ６９６、Ｓ７１１、Ｓ７１２）。
【手続補正４】
【補正対象書類名】明細書
【補正対象項目名】００２４
【補正方法】変更
【補正の内容】
【００２４】
（４）  上記（１）〜（３）のうちいずれかの遊技機において、前記変動表示部は、前記複数種類の識別情報を変動表示する変動表示領域を複数有し（左，中，右の変動表示領域）、
前記複数種類の識別情報は、キャラクタにより識別可能なキャラクタ識別情報（「１」〜「８」の演出図柄）を含み、
前記予告演出実行手段は、前記複数種類の予告演出のうち前記キャラクタ識別情報により実行される予告演出（図柄キャラクタパターン）を選択したときには、前記複数の変動表示領域のうちいずれかよりも先に変動表示を停止する変動表示領域に前記キャラクタ識別情報を停止させた後、当該キャラクタ識別情報のキャラクタを用いた予告演出を実行する（図３８の（ｄ）、（ｅ）参照）。
【手続補正５】
【補正対象書類名】明細書
【補正対象項目名】００２７
【補正方法】変更
【補正の内容】
【００２７】
（５）  上記（１）〜（４）のうちいずれかの遊技機において、前記特定遊技状態に制御するか否かを事前に決定する事前決定手段（図１９）をさらに備え、
前記予告演出実行手段は、前記識別情報の変動表示を開始してから表示結果を導出表示するまでに実行した予告演出の組合せに応じて前記特定表示結果となる割合が異なるように、前記事前決定手段による決定結果に基づいて、前記複数種類の予告演出のうちから選択して実行する（図４６（ｃ）参照）。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
遊技媒体が始動領域を通過したことに基づいて複数種類の識別情報を変動表示する変動表示部を備え、前記変動表示部に特定表示結果が導出表示されたときに遊技者にとって有利な特定遊技状態に制御する遊技機であって、
前記遊技媒体が始動領域を通過したが未だ前記識別情報の変動表示の開始を許容する開始条件が成立していないことを条件として、変動表示パターンを決定するための情報を保留記憶情報として記憶する保留記憶手段と、
前記開始条件が成立したときに、前記保留記憶手段に記憶された保留記憶情報に基づいて、前記識別情報の変動表示を開始してから表示結果を導出表示するまでの演出を制御する演出制御手段とを備え、
前記演出制御手段は、
所定条件を満たす保留記憶情報が前記保留記憶手段に記憶されているときに、当該保留記憶情報に基づく変動表示より以前に表示結果を導出表示する変動表示から連続して実行される複数回の変動表示各々の表示結果として特殊表示結果を導出表示することによって当該保留記憶情報に基づく識別情報の変動表示が特定変動表示パターンで実行されることを予告する予告演出実行手段と、
前記識別情報を停止させるときに前記特殊表示結果となる可能性を報知する報知演出を実行する手段であって、実行する報知演出の種類に応じて前記特殊表示結果となる割合が異なるように複数種類の報知演出のうちから選択して実行する報知演出実行手段とを含み、
該報知演出実行手段は、前記識別情報の変動表示が前記特定変動表示パターンで実行される保留記憶情報が前記保留記憶手段に記憶されているか否かに応じて、前記複数種類の報知演出のうちから実行する報知演出を選択することを特徴とする、遊技機。
【手続補正２】
【補正対象書類名】明細書
【補正対象項目名】００１４
【補正方法】変更
【補正の内容】
【００１４】
（２）  上記（１）の遊技機において、遊技者が操作可能な操作手段（操作ボタン３０）をさらに備え、
前記変動表示部は、前記複数種類の識別情報を変動表示する変動表示領域を複数有し（左，中，右の変動表示領域）、
前記報知演出実行手段は、前記複数種類の報知演出のうち遊技者参加型報知演出（ボタン操作パターン）を選択したときには、前記操作手段への操作を所定期間受付ける演出を実行し（図３８（ｉ））、
前記予告演出実行手段は、前記遊技者参加型報知演出が実行されたときであって前記所定期間中に前記操作が受付けられなかったことを条件として、当該変動表示において表示結果が前記特殊表示結果と異なる非操作時表示結果（特別はずれ図柄、リーチ図柄）を導出表示する（図４７のＳ７３１）。
【手続補正３】
【補正対象書類名】明細書
【補正対象項目名】００１８
【補正方法】変更
【補正の内容】
【００１８】
（３）  上記（２）の遊技機において、前記報知演出実行手段は、前記識別情報の変動表示を開始するときに、前記複数種類の報知演出のうちから実行する報知演出を選択し（図４５のＳ６９５、Ｓ６９６、Ｓ７１１、Ｓ７１２）、
前記予告演出実行手段は、前記識別情報の変動表示を開始するときに、当該変動表示において導出表示する表示結果を決定し（図４７のＳ７２９）、前記報知演出実行手段により前記遊技者参加型報知演出が選択されているときにはさらに前記非操作時表示結果を決定し（図４７のＳ７３１）、前記所定期間中に前記操作が受付けられなかったことを条件として導出表示する表示結果を前記非操作時表示結果に変更する。
【手続補正４】
【補正対象書類名】明細書
【補正対象項目名】００２０
【補正方法】変更
【補正の内容】
【００２０】
（４）  上記（１）〜（３）のうちいずれかの遊技機において、前記変動表示部は、前記複数種類の識別情報を変動表示する変動表示領域を複数有し（左，中，右の変動表示領域）、
前記複数種類の識別情報は、キャラクタにより識別可能なキャラクタ識別情報（「１」〜「８」の演出図柄）を含み、
前記報知演出実行手段は、前記複数種類の報知演出のうち前記キャラクタ識別情報により実行される報知演出（図柄キャラクタパターン）を選択したときには、前記複数の変動表示領域のうちいずれかよりも先に変動表示を停止する変動表示領域に前記キャラクタ識別情報を停止させた後、当該キャラクタ識別情報のキャラクタにを用いた報知演出を実行する（図３８の（ｄ）、（ｅ）参照）。
【手続補正５】
【補正対象書類名】明細書
【補正対象項目名】００２３
【補正方法】変更
【補正の内容】
【００２３】
（５）  上記（１）〜（４）のうちいずれかの遊技機において、前記特定遊技状態に制御するか否かを事前に決定する事前決定手段（図１６）をさらに備え、
前記保留記憶手段は、前記遊技媒体が始動領域を通過したが未だ前記開始条件が成立していないことを条件として、さらに前記事前決定手段により前記特定遊技状態に制御するか否かを決定するための情報（ランダムＲ、ランダム２−１から抽出した値）を保留記憶情報として記憶し、
前記報知演出実行手段は、連続して実行される複数回の変動表示各々において実行した報知演出の組合せに応じて前記特定表示結果となる割合が異なるように、前記特定遊技状態に制御すると決定される保留記憶情報が前記保留記憶手段に記憶されているか否かに基づいて、前記複数種類の報知演出のうちから選択して実行する（図４６（ｃ）参照）。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
台座部を含む枠体と、遊技機本体と、前記遊技機本体を前記枠体に対して開閉自在に支持する支持機構と、前記遊技機本体を前記枠体に対して施錠する施錠機構とを備える遊技機であって、
前記遊技機本体の閉鎖状態において、前記遊技機本体と前記台座部との間に位置し、前記遊技機本体の開放状態における傾倒を補正する傾倒補正体と、
前記遊技機本体の開放状態から閉鎖状態側への移動における前記遊技機本体の前記台座部上への前記傾倒補正体を介した乗り上げを補助する乗上補助体と、
を更に備え、
前記遊技機本体は、前記遊技機本体の閉鎖状態から開放状態側への移動において、前記台座部上に前記傾倒補正体を介して乗り上げている状態から前記台座部上に前記乗上補助体を介して乗り上げている状態となった後に前記支持機構で支持される状態となり、
前記遊技機本体が前記台座部上に前記傾倒補正体を介して乗り上げている状態での自重に基づく摩擦力は、前記遊技機本体が前記台座部上に前記乗上補助体を介して乗り上げている状態での自重に基づく摩擦力より大きい、
ことを特徴とする遊技機。
【請求項２】
前記傾倒補正体は、前記遊技機本体の重心を通る鉛直方向と遊技機本体の前後方向とを含む平面に対して前記支持機構と反対側であって前記乗上補助体より前記支持機構から離れて配置されている、
請求項１に記載の遊技機。
【請求項３】
前記傾倒補正体は、前記遊技機本体に固着された板状部材であり、
前記乗上補助体は、前記遊技機本体に取設されたローラであり、
前記板状部材と前記台座部との摩擦力が、前記ローラと前記台座部との摩擦力より大きい、
請求項１又は２に記載の遊技機。
【請求項４】
前記台座部における前記遊技機本体側の表面は、平坦部と、前記平坦部に対して傾斜し、前記遊技機本体を前記開放状態から前記閉鎖状態へ移行させる外力の少なくとも一部を、前記遊技機本体を押し上げる押力に変換する乗上補助傾斜部とを含み、
前記傾倒補正体は、前記遊技機本体の前記閉鎖状態において前記乗上補助傾斜部と当接する平面部と、前記平面部の周縁の少なくとも一部に形成され、前記遊技機本体を前記開放状態から前記閉鎖状態へ移行させる外力の少なくとも一部を、前記遊技機本体を押し上げる押力に変換する乗上補助部とを含む屈曲した板状部材であり、
前記傾倒補正体は、前記遊技機本体の前記開放状態から前記閉鎖状態への移行において、前記台座部の前記乗上補助傾斜部と前記乗上補助部において当接した後に前記台座部の前記乗上補助傾斜部と前記平面部において当接する、
請求項３に記載の遊技機。
【請求項５】
前記傾倒補正体の前記平面部の前記枠体側の表面が、前記台座部の前記乗上補助傾斜部の傾斜に実質的に平行であり、
前記傾倒補正体は、前記遊技機本体の前記閉鎖状態において前記台座部の前記乗上補助傾斜部と実質的に前記平面部の全面において当接する、
請求項４に記載の遊技機。
【手続補正２】
【補正対象書類名】明細書
【補正対象項目名】０００８
【補正方法】変更
【補正の内容】
【０００８】
上記の課題を解決するために、本発明に係る遊技機は、
台座部を含む枠体と、遊技機本体と、前記遊技機本体を前記枠体に対して開閉自在に支持する支持機構と、前記遊技機本体を前記枠体に対して施錠する施錠機構とを備える遊技機であって、
前記遊技機本体の閉鎖状態において、前記遊技機本体と前記台座部との間に位置し、前記遊技機本体の開放状態における傾倒を補正する傾倒補正体と、
前記遊技機本体の開放状態から閉鎖状態側への移動における前記遊技機本体の前記台座部上への前記傾倒補正体を介した乗り上げを補助する乗上補助体と、
を更に備え、
前記遊技機本体は、前記遊技機本体の閉鎖状態から開放状態側への移動において、前記台座部上に前記傾倒補正体を介して乗り上げている状態から前記台座部上に前記乗上補助体を介して乗り上げている状態となった後に前記支持機構で支持される状態となり、
前記遊技機本体が前記台座部上に前記傾倒補正体を介して乗り上げている状態での自重に基づく摩擦力は、前記遊技機本体が前記台座部上に前記乗上補助体を介して乗り上げている状態での自重に基づく摩擦力より大きい、
ことを特徴としている。
【手続補正３】
【補正対象書類名】明細書
【補正対象項目名】０００９
【補正方法】変更
【補正の内容】
【０００９】
本発明に係る遊技機であれば、枠体に対する遊技機本体の開閉動作の円滑性及び安全性が向上する。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
長手方向中心軸および少なくとも１つの開放端部を有する中空加工部材（３）を変形する方法であって、加工部材（３）がクランプ装置（２）内で締め付けられ、少なくとも一つの成形工具（６，６）が加工部材(3)の壁に接触して配置され、該加工部材及び該成形工具は相対的に軸（５）の周りを回転され、全変形操作の間、前記軸（５）は前記長手方向中心軸と実質的に一致しており、加工部材（３）は前記軸（５）の移動なしに該成形工具（６，６）によって変形されるところの方法において、変形操作の少なくとも一部の間に、制御装置の制御の下で、該軸（５）の周りでの加工部材（３）の変形された部分又は変形されるべき部分の回転周波数あるいはその倍数に実質的に等しい周波数で、該成形工具（６，６）が該軸（５）に対して前後に動かされることを特徴とする方法。
【請求項２】
加工部材（３）は回転され、一方、成形工具（６，６）は実質的に並進様式で駆動されて成形工具は全体として回転方向で静止したままである請求項１に記載の方法。
【請求項３】
該成形工具（６，６）が、軸（５）と少なくとも実質的に交差する方向で前後に動く請求項１又は２に記載の方法。
【請求項４】
加工部材（３）の変形された部分の中心軸が加工されていない部分に対して角度を持って延びるまたは偏心して位置づけられるように加工部材（３）が変形される請求項１乃至３のいずれか１項に記載の方法。
【請求項５】
成形工具（６、６、６）の数が上記倍数に対応し、該成形工具（６、６、６）の接触点が好ましくは加工部材（３）の外周上に等間隔に分布されている請求項１乃至４のいずれか１項に記載の方法。
【請求項６】
操作の前または間に挿入物（18）が加工部材（３）の開放端部内に置かれる請求項１乃至５のいずれか１項に記載の方法。
【請求項７】
挿入物（18）がその中で固定されるおよび／又は締め付けられる様式で加工部材（３）が変形される請求項６に記載の方法。
【請求項８】
加工部材（３）および成形工具（６，６）が互いにその周りで回転するところの軸（５）が、加工部材（３）の変形されていない部分の中心軸と一致する請求項１乃至７のいずれか１項に記載の方法。
【請求項９】
長手方向中心軸および変形されるべき少なくとも一つの開放端部を持つ中空加工部材（３）を締め付けるための回転可能な締付装置（２）、加工部材（３）の外表面と接触して配置されることが出来、かつそれによって加工部材（３）が変形されることが出来るところの第一の成形工具（６，６）、該成形工具（６，６）が加工部材（３）を加工するための一以上の所望のパスを追随できるような様式で該加工部材（３）および該成形工具（６，６）を相対的に軸（５）の周りに動かす手段、ここで、前記軸（５）は、全変形操作の間、前記長手方向中心軸と実質的に一致している、および該手段のための制御装置を少なくとも有する成形機（1）において、前記軸（５）の移動なしに,変形操作の少なくとも一部の間に、軸（５）の周りでの加工部材（３）の変形された部分又は変形されるべき部分の回転周波数あるいはその倍数に実質的に等しい周波数で、該成形工具（６，６）を該軸（５）に対して前後に移動させるように該制御装置が配置されていることを特徴とする成形機（1）。
【請求項１０】
成形工具（６、６、６）の数が上記倍数に対応する請求項９に記載の成形機（１）。
【請求項１１】
加工部材の開放端部に置かれるべき挿入物（１８）のための回転可能な支持体が、締付装置（２）と対向して置かれている請求項９または１０に記載の成形機（１）。
【請求項１２】
請求項1〜8のいずれか1項に記載の方法を用いて得られた加工部材（３）を有する、車両のための触媒コンバーター装置（２１）。
【請求項１３】
車両のための触媒コンバーター装置（２１）において、内側ハウジング（１８）を有することを特徴とする触媒コンバーター装置（２１）。
【請求項１４】
内側ハウジング（１８）が触媒コンバーター装置の両端部の間を延びている請求項13記載の触媒コンバーター装置（２１）。
【請求項１５】
内側ハウジング（１８）が両端部で締め付けられている請求項13または１４記載の触媒コンバーター装置（２１）。
【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
操舵部材に連なる入力軸および転舵機構に連なる出力軸を含む操舵軸と、
上記入力軸と出力軸との間に介在し、操舵部材の操舵角に対する転舵輪の転舵角の比である伝達比を変更可能な伝達比可変機構と、
伝達比可変機構を駆動するための伝達比可変機構用モータと、
転舵機構に操舵補助力を付与するための操舵補助用モータと、を備え、
操舵部材から転舵機構への動力伝達経路において、伝達比可変機構用モータおよび操舵補助用モータがこの順に配置され、且つ伝達比可変機構用モータおよび操舵補助用モータの双方のロータ中心が操舵軸と同軸に配置されていて、
上記操舵補助用モータのロータが、上記操舵軸と同行回転し、
上記伝達比可変機構用モータのステータと上記操舵補助用モータのステータとが、同じハウジングに固定されていることを特徴とする車両用操舵装置。
【請求項２】
請求項１において、上記伝達比可変機構用モータの複数のコイル同士を結線する第１のバスバーを保持する絶縁性の第１の保持部材と、操舵補助用モータの複数のコイル同士を結線する第２のバスバーを保持する絶縁性の第２の保持部材とが、一体に形成されて上記ハウジングに固定されていることを特徴とする車両用操舵装置。
【請求項３】
請求項１または２において、上記伝達比可変機構の少なくとも一部が、操舵補助用モータのロータ内に配置されていることを特徴とする車両用操舵装置。
【手続補正２】
【補正対象書類名】明細書
【補正対象項目名】０００４
【補正方法】変更
【補正の内容】
【０００４】
上記目的を達成するため、本発明は、操舵部材（２）に連なる入力軸（１３）および転舵機構（１０）に連なる出力軸（１４）を含む操舵軸（３）と、上記入力軸と出力軸との間に介在し、操舵部材の操舵角（θ１）に対する転舵輪（４Ｌ，４Ｒ）の転舵角（θ２）の比である伝達比（θ２／θ１）を変更可能な伝達比可変機構（５）と、伝達比可変機構を駆動するための伝達比可変機構用モータ（２３）と、転舵機構に操舵補助力を付与するための操舵補助用モータ（２５）と、を備え、操舵部材から転舵機構への動力伝達経路（Ｌ）において、伝達比可変機構用モータおよび操舵補助用モータがこの順に配置され、且つ伝達比可変機構用モータおよび操舵補助用モータの双方のロータ中心（Ａ２，Ａ３）が操舵軸と同軸に配置されていて、上記操舵補助用モータのロータ（２５１）が、上記操舵軸と同行回転し、上記伝達比可変機構用モータのステータ（２３２）と上記操舵補助用モータのステータ（２５２）とが、同じハウジング（２４）に固定されていることを特徴とする（請求項１）。
【手続補正３】
【補正対象書類名】明細書
【補正対象項目名】０００６
【補正方法】変更
【補正の内容】
【０００６】
また、本発明において、上記伝達比可変機構用モータの複数のコイル（７２）同士を結線する第１のバスバー（８７）を保持する絶縁性の第１の保持部材（８８；８８Ｂ）と、操舵補助用モータの複数のコイル（８３）同士を結線する第２のバスバー（８９）を保持する絶縁性の第２の保持部材（９０；９０Ｂ）とが、一体に形成されて上記ハウジングに固定されている場合がある（請求項２）。この場合、第１および第２の保持部材を一部品で構成することができる。これにより、バスバーを保持するための部品点数およびスペースをより少なくでき、装置の更なる製造コスト低減および更なる小型化を達成することができる。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
櫛歯状に打ち抜いた電磁鋼板の一側面に長手方向に向かって形成してなる複数のティース部を有する電機子コアと、前記ティース間に形成された巻線収納溝に収納した電機子巻線と、より構成してなる電機子と、を備えたリニアモータ電機子であって、
前記電機子コアは、前記巻線収納溝の底部の少なくとも一箇所に前記電機子コアの長手方向と直交する方向に予め分割するための切れ目を形成してあり、
前記電機子コアは前記切れ目を中心に、当該電機子コアの長手方向に沿って生じる反りの方向と反対方向に向かって所定の角度に折り曲げると共に、前記切れ目を溶接により接合して固着したものであることを特徴とするリニアモータ電機子。
【請求項２】
前記電機子コアと前記電機子巻線はモールド樹脂により一体に固着したものであることを特徴とする請求項１記載のリニアモータ電機子。
【請求項３】
請求項１または２に記載のリニアモータ電機子と、
前記電機子と磁気的空隙を介して対向配置されると共に平板状の界磁ヨークに交互に極性が異なる複数の永久磁石を隣り合わせて並べて配置した界磁と、
を備え、前記電機子と前記界磁の何れか一方を固定子に、他方を可動子として、前記電機子と前記界磁を相対的に走行するようにしたことを特徴とするリニアモータ。
【請求項４】
請求項３に記載のリニアモータを直動機構の駆動源として用いたことを特徴とするテーブル送り装置。
【手続補正２】
【補正対象書類名】明細書
【補正対象項目名】０００４
【補正方法】変更
【補正の内容】
【０００４】
上記問題を解決するため、請求項１に記載の発明は、櫛歯状に打ち抜いた電磁鋼板の一側面に長手方向に向かって形成してなる複数のティース部を有する電機子コアと、前記ティース間に形成された巻線収納溝に収納した電機子巻線と、より構成してなる電機子と、を備えたリニアモータ電機子であって、前記電機子コアは、前記巻線収納溝の底部の少なくとも一箇所に前記電機子コアの長手方向と直交する方向に予め分割するための切れ目を形成してあり、前記電機子コアは前記切れ目を中心に、当該電機子コアの長手方向に沿って生じる反りの方向と反対方向に向かって所定の角度に折り曲げると共に、前記切れ目を溶接により接合して固着したものであることを特徴としている。
請求項２記載の発明は、請求項１記載のリニアモータ電機子において、前記電機子コアと前記電機子巻線はモールド樹脂により一体に固着したものであることを特徴としている。
請求項３記載の発明は、請求項１または２に記載のリニアモータ電機子と、前記電機子と磁気的空隙を介して対向配置されると共に平板状の界磁ヨークに交互に極性が異なる複数の永久磁石を隣り合わせて並べて配置した界磁と、を備え、前記電機子と前記界磁の何れか一方を固定子に、他方を可動子として、前記電機子と前記界磁を相対的に走行するようにしたことリニアモータを特徴としている。  
請求項４記載の発明は、請求項３に記載のリニアモータを直動機構の駆動源として用いたテーブル送り装置を特徴としている。
【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
一対のシャーブレードと、
前記一対のシャーブレードを駆動する原動機と、
前記原動機を収容しているとともに、前記一対のシャーブレードが取り付けられている内側ハウジングと、
前記内側ハウジングを収容しているとともに、利用者が把持するためのグリップ部が設けられている外側ハウジングと、
前記外側ハウジングのグリップ部に設けられている前記原動機の起動スイッチと、
前記内側ハウジングと外側ハウジングの間に配置された少なくとも一つの防振部材を備え、
前記外側ハウジングは、前記防振部材を介して前記内側ハウジングを支持していることを特徴とする園芸用バリカン。
【請求項２】
前記外側ハウジングには、一方の側壁から他方の側壁まで伸びる梁部が形成されており、
前記内側ハウジングには、前記外側ハウジングの梁部が通過する貫通孔が形成されており、
前記内側ハウジングの貫通孔の両端部には、筒状の防振部材がそれぞれ設けられていることを特徴とする請求項１に記載の園芸用バリカン
【請求項３】
前記筒状の防振部材は、前記内側ハウジングの貫通孔内に位置する小径部と、前記内側ハウジングの貫通孔外に位置するとともに、前記内側ハウジングと前記外側ハウジングの間に介在する大径部を有することを特徴とする請求項２に記載の園芸用バリカン。
【請求項４】
前記外側ハウジングには、前記梁部が複数形成されており、
前記複数の梁部の少なくとも一つは、前記内側ハウジングに収容されているクランク部材の回転軸よりも前方に位置しており、前記複数の梁部の他の少なくとも一つは、前記クランク部材の回転軸よりも後方に位置していることを特徴とする請求項２又は３に記載の園芸用バリカン。
【請求項５】
前記防振部材の少なくとも一つは、前記内側ハウジングの上部に設けられていることを特徴とする請求項１に記載の園芸用バリカン。
【請求項６】
前記少なくとも一つの防振部材は、粘弾性を有する材料で形成されていることを特徴とする請求項１に記載の園芸用バリカン。
【請求項７】
前記外側ハウジングには、前記内側ハウジングを露出する開口部が形成されており、
前記内側ハウジングには、前記外側ハウジングの開口部に向けて突出する突出部が形成されていることを特徴とする請求項１に記載の園芸用バリカン。
【手続補正２】
【補正対象書類名】明細書
【補正対象項目名】０００５
【補正方法】変更
【補正の内容】
【０００５】
本発明によって具現化される園芸用バリカンは、一対のシャーブレードと、一対のシャーブレードを駆動する原動機と、原動機を収容しているとともに、一対のシャーブレードが取り付けられている内側ハウジングと、内側ハウジングを収容しているとともに、利用者が把持するためのグリップ部が設けられている外側ハウジングと、外側ハウジングのグリップ部に設けられている前記原動機の起動スイッチと、内側ハウジングと外側ハウジングの間に配置された少なくとも一つの防振部材を備えている。そして、外側ハウジングは、防振部材を介して内側ハウジングを支持している。